【事件の表示】
　平成　６年特許願第２１５９８７号「ホログラムを用いたカラーフィルター」拒絶査定不服審判事件〔平成　８年　３月２６日出願公開、特開平　８−　８２７９１〕について、次のとおり審決する。
【結　論】
　本件審判の請求は、成り立たない。
【理　由】
１．手続の経緯
　本願は、平成６年９月９日の出願であって、原審において、平成１５年１０月７日付で拒絶理由が通知され、これに対し、同年１２月１２日付で手続補正がなされたところ、平成１６年１月１３日付で拒絶査定がなされ、これに対し、同年２月１９日に拒絶査定に対する審判請求がなされたものである。
　
２．本願発明
　本願の請求項に係る発明は、平成１５年１２月１２日付手続補正の特許請求の範囲の請求項１ないし７に記載された事項により特定されるとおりのものと認められるところ、請求項５に係る発明は次のものである。
「【請求項５】
　入射光を各色成分に分解するホログラムと、分解された各色成分をカラー表示の対応する分色画素の開口に集光させる集光光学素子とからなるホログラムを用いたカラーフィルターにおいて、前記集光光学素子は、色成分分解方向と直交する方向に伸び、分色画素の開口のその方向の寸法と等しい長さを有する線分状又は帯状の領域に集光させる集光性を有することを特徴とするホログラムを用いたカラーフィルター。」
（以下「本願発明」という。）
　
３．引用例
　原査定の拒絶の理由に引用された特開平６−２２２３６１号公報（以下、「引用例１」という。）には、図面とともに、
　ア．「【請求項１】  隣接する液晶セルに対して異なる色のカラーフィルターセルを周期的に配置し、背後からバックライトを照射してカラー表示を行う液晶表示装置において、回折効率の波長依存性がないかもしくは少ないホログラムをバックライト入射側に配置して、前記ホログラムによって分光された波長成分を対応する色のカラーフィルターセルに入射させるようにしたことを特徴とするホログラムを用いた液晶表示装置。」（補正後）
　イ．「【請求項５】  前記ホログラムと前記カラーフィルターセルの間の各セルに対応する位置に集光素子を配置したことを特徴とする請求項１から４の何れか１項記載のホログラムを用いた液晶表示装置。」
　ウ．「【００１５】
【実施例】以下、本発明のホログラムを用いた液晶表示装置の原理と実施例について、図面を参照にして説明する。まず、本発明の原理図を図１に示す。図１において、液晶表示装置のカラーフィルター１のバックライト入射側に透過型ホログラム５を配置する。透過型ホログラム５は、液晶表示装置の１画素を構成する３色のカラーフィルターセルＲ、Ｇ、Ｂの組各々に対応して、カラーフィルター１の画素ピッチと同じピッチでアレー状に構成されており、各単位ホログラムは、カラーフィルター１に垂直に入射する白色のバックライト３を回折して、対応する単位ホログラムからオフセットした位置のカラーフィルター１の画素上に集光するようにフレネルゾーンプレート状に形成されている。そして、ホログラム５としては、回折効率の波長依存性がないかもしくは少ない、レリーフ型、位相型、振幅型等のものが用いられる。ここで、回折効率の波長依存性がないかもしくは少ないとは、リップマンホログラムのように、特定の波長だけを回折し、他の波長は回折しないタイプのものではなく、１つの回折格子で何れの波長も回折するものを意味し、この波長依存性の少ない回折格子は、一般に、波長に応じて異なる回折角で回折する。したがって、入射光３の波長に依存して単位ホログラムによる回折角は異なり、各波長に対する集光位置はホログラム５面に平行な方向に分散される。そのため、白色入射光３の赤の波長成分はカラーフィルターセルＲの位置に、緑の成分はカラーフィルターセルＧの位置に、青の成分はカラーフィルターセルＢの位置にそれぞれ回折集光され、それぞれの成分は各カラーフィルターセルＲ、Ｇ、Ｂでほとんど減衰されずに通過し、対応する位置の液晶セルの状態に応じた色表示を行う。なお、カラーフィルター１とホログラム５の間にフィルターセルＲ、Ｇ、Ｂと液晶セルが整列するように、図示しない液晶表示素子が配置されている。」（補正後）
　エ．「【００２１】・・・
次に、回折効率の波長依存性がないかもしくは少ない集光性のホログラム５とカラーフィルター１の間に、各カラーフィルターセルＲ、Ｇ、Ｂに入射する集光色成分をさらに集光させるための集光ホログラム６を各フィルターセルＲ、Ｇ、Ｂに整列して配置し、さらに無駄なく各色成分を各セルへ入射させ、また、ホログラム５とカラーフィルター１の間の距離を短縮する実施例を図３に示す。この実施例においては、ホログラム５により分光集光された光がブラック・マトリックス４によって遮断され無駄になる場合でも、集光ホログラム６によりさらに集光されるため、分光された成分がブラック・マトリックス４に当たって遮断されことが防止できる。なお、集光ホログラム６の代わりにマイクロレンズを用いてもよい。」（補正後）
　オ．「【００２４】なお、以上において、ホログラム５、集光ホログラム６の集光形態としては、対応するカラーフィルターセル上に点状に集光するものでもよく、また、線状に集光するものでもよい。また、マイクレンズ７も、カラーフィルターセル上に点状に集光する回転対称なレンズでも、線状に集光するシリンドリカルレンズ、トーリックレンズ等でもよい。」
　また、【図３】からは、以下の事項が見てとれる。
　カ．「ホログラム５で分光された各成分は、集光ホログラム６により各カラーフィルターセルＲ，Ｇ，Ｂの配列方向において集光されるようになっており、各カラーフィルターセルの開口に集光されている。」
　これらア〜カの記載によれば、引用例１には、
「入射光を各色成分に分光するホログラム５と、分光された各色成分をカラーフィルターセルＲ，Ｇ，Ｂの開口に集光させる集光ホログラム６またはマイクロレンズを用いた集光素子とからなるホログラムを用いたカラーフィルターであって、前記集光素子は、線状に集光するものであるホログラムを用いたカラーフィルター。」
との発明（以下、「引用例１発明」という。）が記載されていると認められる。
　
　また、同じく、特開平５−３３３３２８号公報（以下、「引用例２」という。）には、図面とともに、
　キ．「【特許請求の範囲】
【請求項１】  光源と、各画素の開口形状が略長方形状である画素群を有する液晶パネルと、上記光源からの光を上記液晶パネルの各画素の開口に集光させるマイクロレンズアレイとを備えた画像表示装置において、上記マイクロレンズアレイは、上記略長方形状の開口の短辺方向に対応する焦点距離と長辺方向に対応する焦点距離とが異なるように構成されていることを特徴とする画像表示装置。
【請求項２】  光源と、各画素の開口形状が略長方形状である画素群を有する液晶パネルと、上記光源からの光を上記液晶パネルの各画素の開口に集光させるマイクロレンズアレイとを備えた画像表示装置において、上記マイクロレンズアレイは、上記略長方形状の開口位置において開口の短辺方向に短く長辺方向に長い集光パターンを形成するように構成されていることを特徴とする画像表示装置。・・・」
　ク．「【０００５】ところで、液晶パネルの高輝度、高効率化を効果的に実現させるためには、この集光スポット形状を液晶パネルの開口形状（開口の短辺長）以下にする必要がある。このとき、開口形状は集光スポット形状と等価になる。従って、スクリーン上に投影される開口パターン（集光スポットパターン）の形状は、マイクロレンズアレイを液晶パネルに装荷しない場合と比較して小さくなる。このため、画像に寄与しない領域が増加し、画像の質が低下して、画像にザラツキが生じる。上記問題点を解決する例としては、集光スポット形状を開口形状以上にすることが考えられる。しかしながら、液晶パネルの高効率化に対しては、集光スポットが開口にケラレるため効率が低下する。」
　ケ．「【００１２】
【発明が解決しようとする課題】本発明は上述したような従来の問題点に着目してなされたもので、第１の目的は、液晶パネルとマイクロレンズアレイを用いた画像表示装置にあって、マイクロレンズの集光スポット形状に非対称性を持たせることで、画像に寄与しない領域の増加を低減でき、画像の質を向上させることにある。・・・」
　コ．「【００１４】
【作用】上記の構成によれば、マイクロレンズアレイの集光スポットが液晶パネルの開口を透過できるので、液晶パネルの高輝度化を実現することができる。・・・」
　サ．「【００１９】ここで、まず、Ｗ＞ａの場合におけるマイクロレンズの焦点距離を、図１３、図１５、図１６を参照しながら示す。ここで、ｌａはマイクロレンズの主平面から液晶パネル１の開口６までの光学距離、ｆｘ，ｆｙはそれぞれ２軸対称性を持つマイクロレンズに対して、座標軸を対応させたときのｘ方向，ｙ方向の焦点距離を表す。ｙ方向の焦点位置でのｘ方向の集光スポット径の増加量ΔＷｘは、ΔＷｘ＝ｄ／ｆｘ×（ｆｘ−ｆｙ）となる。このとき、ｘ方向の集光スポット径を開口６のｘ方向の長さｂと等しくするためには、ΔＷｘ＝ｂ−Ｗとすればよい。・・・」
　シ．「【００２０】次に、Ｗ＜ａの場合におけるマイクロレンズの焦点距離を、図１４、図１５、図１６を参照しながら示す。ｙ方向の焦点距離ｆｙ´（≠ｌａ）のときの集光スポット径の増加量ΔＷｙは、ΔＷｙ＝ｃ／ｆｙ´×（ｆｙ´−ｌａ）となる。このとき、ｙ方向の集光スポット径を開口６のｙ方向の長さａと等しくするためには、ΔＷｙ＝ａ−Ｗとすればよい。従って、焦点距離ｆｙ´は、ｆｙ´＝ｃ×ｌａ／（ｃ−ａ＋Ｗ）となる。また、このとき、ｘ方向の集光スポット径を開口径のｘ方向と等しくするためには、ΔＷｘ＝ｄ／ｆｘ´×（ｆｘ´−ｆｙ´）、ΔＷｘ＝ｂ−ａの２式より、マイクロレンズの焦点距離ｆｙ´は、
ｆｙ´＝ｃ×ｌａ／（ｃ−ａ＋Ｗ）
ｆｘ´＝ｄ／（ｄ＋ａ−ｂ）×ｆｙ´
となる。・・・」
　ス．「【００２１】上記のような焦点距離のマイクロレンズを用いたマイクロレンズアレイ２０２を、液晶パネル１に装荷することにより、マイクロレンズアレイ２０２の集光スポットの形状を液晶パネル１の開口形状とほぼ等しくすることができるため、マイクロレンズアレイ２０２を装荷した場合の、スクリーンに投影される液晶パネル１の開口パターンを、マイクロレンズアレイ２０２を液晶パネル１に装荷しない場合の開口パターンと同形状にできる。これにより、画像に寄与しない領域が少なくなり、画質の低下を抑えることができる。・・・」
　セ．「【００３５】
【発明の効果】以上のように請求項１、２の発明によれば、マイクロレンズアレイの集光スポット形状を液晶パネルの開口形状とほぼ等しくできるので、画像に寄与しない領域の増加を低減でき、結果として画像のザラツキ等の画質の低下をなくすことができる。それ故、液晶パネルの高輝度化、高効率化をより効果的に実現できる。・・・」
　
４．対比
　そこで、本願発明と引用例１発明とを対比する。
ａ．引用例１発明の「入射光を各色成分に分光するホログラム５」、「分光された各色成分をカラーフィルターセルＲ，Ｇ，Ｂの開口に集光させる集光ホログラム６またはマイクロレンズを用いた集光素子」は、本願発明の「入射光を各色成分に分解するホログラム」、「分解された各色成分をカラー表示の対応する分色画素の開口に集光させる集光光学素子」に、それぞれ相当し、
ｂ．引用例１発明の集光素子が「線状に集光する」点について、引用例１にいう「線状」が、無限に続くものを意味するものではなく、有限の長さを持つ「線分状」を意味することは明らかである。また、集光された光の幅を０にすることは事実上困難であることから、引用例１発明における「線状」は、幅がある線状を意味する「帯状」を実質的に含む。それゆえ、引用例１発明の「線状に集光する」との事項は、本願発明の「線分状又は帯状の領域に集光させる」との事項に相当するから、両者は、
「入射光を各色成分に分解するホログラムと、分解された各色成分をカラー表示の対応する分色画素の開口に集光させる集光光学素子とからなるホログラムを用いたカラーフィルターであって、前記集光光学素子は、線分状又は帯状の領域に集光させる集光性を有するホログラムを用いたカラーフィルター。」の点で一致し、以下の点で相違している。
　
　［相違点］本願発明の集光光学素子が集光する線分状又は帯状の領域が、「色成分分解方向と直交する方向に伸び、分色画素の開口のその方向の寸法と等しい長さを有する」のに対し、引用例１発明においては、前記領域の伸びる方向および長さが不明である点。
　
５．判断
［領域の伸びる方向について］
　引用例１発明において、「ホログラム５により分光集光された光がブラック・マトリックス４によって遮断され無駄になる場合でも、集光ホログラム６によりさらに集光されるため、分光された成分がブラック・マトリックス４に当たって
遮断されこと
　
［領域の長さについて］
　引用例２には、光源からの光をマイクロレンズアレイ（「集光光学素子」に相当）により集光して画素の開口を透過させる際に、集光スポットの長さを開口の長さに合わせることにより、画像に寄与しない領域を減少させて、画像のザラツキ等の画質の低下をなくすという技術事項が記載されている（上記キ〜セ）。
　そして、引用例１発明と引用例２に記載のものとは、画素の開口に光を入射させる技術に関するものであるという点で共通するから、引用例１発明において、引用例２に記載された上記技術事項を適用し、画像に寄与しない領域を減少させて、画像のザラツキ等の画質の低下をなくすように、上記相違点に係る構成を備えることは、当業者が容易に想到しえたことである。
　また、本願発明の作用効果も、引用例１および引用例２に記載された事項から当業者が予測できる範囲のものである。
　
６．むすび
　以上のとおり、本願発明は、引用例１および引用例２に記載された発明に基づいて、当業者が容易に発明をすることができたものであるから、特許法第２９条２項の規定により特許を受けることができない。
　よって、結論のとおり審決する。